Podtech/llm-jp-corpus-v4-ja_patent huggingface dataset:
(57)【要約】【課題】フォークを使って食事をする際、従来のフォークは串部の間が広く、串の先端部の厚さが厚く太いため、食べ終わりの細かく残った食べ物はとても食べにくかった。特に短く切れて残ったスパゲッティ等の麺類、数本残ったキャベツの千切り、数粒残ったご飯粒などは、細く、細かいため従来のフォークでは、これらの食べ物を刺すこともできなく、なおかつ、すくいにくかった。また、すくってもフォークの串の間からこぼれ落ちるため、細く、細かい食べ物を食べるのが困難だった。【解決手段】上記問題点を解決するため、本発明は、細く、細かい食べ物をフォークの串の間に挟む、あるいはフォークで刺しやすくするために、フォークの１本の串の先端部または、数本の串の先端部を、更に細い数本の串状にする。また食べ物をすくいやすくするために、串の先端部の厚さを薄くしたものである。【選択図】図１
2014036828.tif 000002
【特許請求の範囲】
【請求項１】
食事の際、細い、細かい食べ物を取りやすくするために、フォークの串の先端部を更に細い複数本の串状にしたフォーク。
【請求項２】
食べ物をすくいやすくするために、フォークの串の先端の厚さを薄くした請求項１記載のフォーク。
【発明の詳細な説明】
【技術分野】
【０００１】  本発明は、ミニ付フォークに関するものである。
【背景技術】
【０００２】  従来のフォークについては、持ち手部と複数本の串部で構成されており、串部は、それぞれ串部の根元から先端まで１本の構造となっていた。
なお、類似のもので「フォーク形状をした箸」、「食事用フォーク」が示されている。（特許文献１、２参照）
【先行技術文献】
【特許文献】
【０００３】
【特許文献１】  特開１９９７−２５２９１０号公報
【特許文献２】  特開２０１１−０１０９４８号公報
【発明の概要】
【発明が解決しようとする課題】
【０００４】  フォークを使って食事をする際、従来のフォークは串部の間が広く、串の先端部の厚さが厚く太いため、食べ終わりの細かく残った食べ物はとても食べにくかった。特に短く切れて残ったスパゲッティ等の麺類、数本残ったキャベツの千切り、数粒残ったご飯粒などは、細く、細かいため従来のフォークでは、これらの食べ物を刺すこともできなく、なおかつ、すくいにくかった。また、すくってもフォークの串の間からこぼれ落ちるため、細く、細かい食べ物を食べるのが困難だった。
【課題を解決するための手段】
【０００５】  上記問題点を解決するため、本発明は、細く、細かい食べ物をフォークの串の間に挟む、あるいはフォークで刺しやすくするために、フォークの１本の串の先端部または、数本の串の先端部を、更に細い数本の串状にする。また食べ物をすくいやすくするために、串の先端部の厚さを薄くしたものである。
【発明の効果】
【０００６】  フォークの串の先端部を数本の細い串状にしたことにより、細かい食べ物をこの間に挟む、あるいは刺しやすくなる。また、串の先端部を薄くしたことにより、食べ物をすくいやすくなる。
なお、厚さを薄くした部位は串の先端部だけであるため、串全体の強度が低下することはない。
【図面の簡単な説明】
【０００７】
【図１】本発明の正面図（その１）
【図２】本発明の正面図（その２）
【図３】本発明の側面図
【図４】本発明の串部先端の側面詳細図（その１）
【図５】本発明の串部先端の側面詳細図（その２）
【図６】本発明の串部先端の側面詳細図（その３）
【図７】従来品の串部先端の側面詳細図
【発明を実施するための形態】
【０００８】  以下、本発明を実施するための形態について、図面に基づいて説明する。
フォークの１本の串部（２）、または複数本の串部（２）の串部先端（３）を更に細い複数本の串状にする。（図１，２，３）また、串部先端（３）は、食べ物をすくいやすくするために上面、下面あるいは上下両面の厚さを薄くする。（図４，５，６）
本発明は以上のような構造である。
本発明を使用する時は、短く切れて残ったスパゲッティ等の麺類、数本残ったキャベツの千切り、数粒残ったご飯粒などの従来の形状のフォークの串部先端（３）では刺せない細い、細かい食べ物を、串部先端（３）を細くした複数本の串の間に挟むかあるいは刺して食べる。また、串部先端（３）の厚さを薄くしたことにより食べ物がすくいやすくなる。
また、従来のフォークは、持ち手部（１）に滑り止めのため、および外観を良くするために装飾を施し、厚さを変化させた構造のものはあった。また串部（２）の持ち手部（１）側から串部先端（３）までは、厚さがほぼ均等であるか、あるいは緩やかに薄くなる構造であり、串部先端（３）のみ厚さを薄くした構造ではなかった。（図７）
【符号の説明】
【０００９】  １  持ち手部
２  串部
３  串部先端
【図１】
2014036828.tif 000003
【図２】
2014036828.tif 000004
【図３】
2014036828.tif 000005
【図４】
2014036828.tif 000006
【図５】
2014036828.tif 000007
【図６】
2014036828.tif 000008
【図７】
2014036828.tif 000009
(57)【要約】      （修正有）【課題】トイレット・ペーパーの引き出し部分が見付けやすく、引き出しが容易なボックス型トイレット・ペーパーカッターを提供する。【解決手段】トイレット・ペーパー・カッターＢをスプリングＥにより上方に保持し、ペーパー・ガイドＣの幅方向中央部に、トイレット・ペーパーの端部をつかむための指先大の切り込みを設けてトイレット・ペーパーを引き出し易くし、引き出し部のボックス内側に逆戻り防止板Ｆを設け、ボックスの底部Ｄを手前下り勾配にすることにより、トイレットペーパーの引き出し部分の逆戻り防止を施した。【選択図】図２
2014036830.tif 000002
【特許請求の範囲】
【請求項１】
◎ペーパーを引き出し易いために、ペーパー・ガイドと、中央部分に指先大の切り込みを入れた。
◎引き出し部分の逆戻り防止のために、防止板と底部を手前下りに勾配をつけた。
◎従来の器具はカッターが常にペーパー・ロールに密着しているが、本器具はカッターとペーパーとは、ある程度の間隔を設けたボックス型トイレット・ペーパーカッター。
【発明の詳細な説明】
【技術の分野】
【０００１】この発明は、トイレット・ペーパー（以下ペーパーと云う）が、簡単に装着出来てペーパーをカットした時に、次の引き出し部分が出ている器具である。
【背景技術】
【０００２】昨今、便器は自動化が進み著しく便利になったが、ペーパー・カッター（以下カッターと云う）は殆んど進化がなく、特にペーパーの引き出し部分が仲々見付からなくて、困ることがある。
【先行技術文献】
【特許文献】
【０００３】
【発明の概要】
【発明が解決しようとする課題】
【０００４】従来の器具はペーパーの引き出し部分が常にカッターで隠れていて、ペーパーを引き出す時に困る事が多かった
本発明は、上記の欠点をなくするために、考案したものである。
【課題を解決するための手段】
【０００５】（図、１）に示す、ペーパーガイド（Ｃ）の中央に指先大の切込（Ｇ）を設けて、ペーパーを引き出せる様にした。この場合（図、２）に示す様に、カッター（Ｂ）は通常上った状態なので、引き出しが容易である。
この発明は、以上の構成よりなる、ボックス型トイレット・ペーパーカッターである。
【発明の効果】
【０００６】これによりペーパーのセット、引き出しが非常に容易になりボックス型のため、市販のペーパーが総て使用出来、特に芯無しロールが利用出来るので、経済的である。
【図面の簡単な説明】
【０００７】（※赤い部分はペーパーを示す）
【図１】器具の正面図
【図２】器具の側面図
【図３】ペーパーをカットする時の正面図
【図４】ペーパーをカットする時の側面図
【図５】ペーパーを挿入する時の側面図
【図６】逆戻り防止板の斜視図
【図７】逆戻り防止板の無い側面図（図２と比較のために）
【図８】底部を下に開いた時の側面図
【図９】器具の斜視図
【発明を実施するための形態】
【０００８】以下、この発明を実施するための形態について説明する。
（図１、図２）はペーパーをセットした状態を示す。（図３、図４）は（Ｇ）よりペーパーを引き出し、（Ｂ）を（Ｃ）まで押し下げて、ペーパーをカットする時の状態を示す。ペーパーをカットして（Ｂ）を押し下げた手を放すと（Ｅ）がスプリングの役目を果しているので、（図１、図２）の状態に戻る。
（図５）はペーパーをボックスに挿入する時の状態を示す、（Ｆ）を手前に引き上げて、ペーパーロールの端を持って、ボックスに落せば、（Ｆ）は自動的に（図２）の状態に戻る。
（図６）は（Ｆ）の形状を示す、（図７）は（Ｆ）が無い場合の図である、なぜ（Ｆ）が必要であるか、（図２）を参照してもらえば
2014036830.tif 000003
なり、ペーパーの引き出し部分の逆戻り防止になる、併せて逆戻り防止策として、ボックスの底部を手前下りに勾配を付けて、ペーパーロールが常にボックスの前面に接していて、ペーパーロールが前後に動かない様にした、動くと逆戻りの原因になる。
（図８）万が一、ペーパーの引き出し部分が逆戻りして、ボックス内に落ち込んだ時は、底部を下に開いてペーパーを取り出す、この場合（Ｈ）は蝶つがいの役目をする、（ｉ）は底部の留め具である。
材質はオールプラスチック製であり、形状、大きさはほぼ図面通です。
この発明は以上の様な構造になっている。
これを使用する時は、引き出し口よりペーパーを必要なだけ引っ張り出し、カッターを押さえてペーパーをカットすればよい。
【符号の説明】
【０００９】（図１・図２）Ａ  後部壁面取付板
Ｂ  ペーパー・カッター
Ｃ  ペーパー・ガイド
Ｄ  底部
Ｅ  スプリング
Ｆ  逆戻り防止板
Ｇ  ペーパ引き出し口
（図７・図８）Ｈ  蝶つがい
ｉ  底部留め具
【図１】
2014036830.tif 000004
【図２】
2014036830.tif 000005
【図３】
2014036830.tif 000006
【図４】
2014036830.tif 000007
【図５】
2014036830.tif 000008
【図６】
2014036830.tif 000009
【図７】
2014036830.tif 000010
【図８】
2014036830.tif 000011
【図９】
2014036830.tif 000012
(57)【要約】【課題】  大量に出る落ち葉の収集作業は大変な時間と労力が必要で、又車を使っての収集は道路上だけのことで、家庭には向かない。  本発明は、作業時間の短縮と労力の軽減になり、家庭での収集ができる落ち葉収集ネットを提供する。【解決手段】  ネットを地面に広げた状態において、丸く、もしくは多角形状に形成し、外周をひもを通すトンネル状に縁取りを設け、トンネルの中に束ね持ち手ひもを通し、外周の縁取りに複数箇所ひも引き出し口を設け、複数のひも引き出し口の内の一つに限っては、そこに顔を出している束ね持ち手ひもに少し幅広のグリップベルトの一端を取り着けることを特徴とする落ち葉収集ネット。【選択図】図１
2014036826.tif 000002
【特許請求の範囲】
【請求項１】
ネットを地面に広げた状態において、丸く、もしくは多角形状に形成し、外周をひもを通すトンネル状に縁取を設け、トンネルの中に束ね持ち手ひもを通し、外周の縁取りに複数箇所ひも引き出し口を設け、複数のひも引き出し口の一つに限ってはそこに顔を出している束ね持ち手ひもに、少し幅広のグリップベルトの一端を取り着けることを特徴とする落ち葉収集ネット。
【発明の詳細な説明】
【技術分野】
【０００１】  本発明は、落ち葉などの収集に関するものである。
【背景技術】
【０００２】  従来、落ち葉などは人がほうき、熊手などで掃き集めている。集めた落ち葉を袋に詰めたり、一輪車などに積んで運んでいた。車にファンとジャバラホースを取り付けて落ち葉を収集する落ち葉掃除車がある（特許文献１参照）。
【特許文献１】  特許公開２００８−２９７８９９号公報
【発明の開示】
【発明が解決しようとする課題】
【０００３】  全て、人の手によってする落ち葉収集作業は、手間と時間がかかり大変であった。落ち葉掃除車は道路上だけの収集になり、落ち葉収集の費用も多額になり家庭での収集には向かない。
本発明は以上の問題点を解決するものである。
【課題を解決するための手段】
【０００４】  ネットを地面に広げた状態において、丸く、もしくは多角形状に形成し、外周をひもを通すトンネル状に縁取りを設け、トンネルの中に束ね持ち手ひもを通し、外周の縁取りに複数箇所ひも引き出し口を設ける。複数のひも引き出し口の内の一つに限っては、そこに顔を出している束ね持ち手ひもに、少し幅広のグリップベルトの一端を取り着ける。
以上を特徴とする落ち葉収集ネットである。
【発明の効果】
【０００５】  地面にネットを広げ置き、掃き集めた落ち葉を無造作にネットの上に集め置き、溜まったら、ひもを引っ張り出すだけで、おのずとネットの中に納まり、簡単に運ぶことが出来る。また、落ち葉掃除用と別に、地面にネットを敷くことにより、雑草の生えてくるのを抑える目的にも効果的である。
【図面の簡単な説明】
【０００６】
【図１】  本発明の非使用状態における平面図
【図２】  本発明の一部であるひも引き出し口から顔を出している束ね持ち手ひもにグリップベルトを着けた状態を示す部分拡大図
【図３】  本発明の使用状態の一例を示す斜視図
【発明を実施するための最良の形態】
【０００７】  以下、本発明の実施の形態を説明する。
（イ）ネット（１）の外周をトンネル状態に縁取り（２）を設ける。
（ロ）縁取りのトンネル（２）の中に束ね持ち手ひも（３）を通す。
（ハ）外周の縁取り（２）に複数箇所ひも引き出し口（４）を設ける。
（ニ）ひも引き出し口（４）の一つから顔を出している束ね持ち手ひも（３）にグリップベルト（５）を取り着ける。
尚、ネット（１）を広げた状態における形状は、円形に限らず、多角形であっても一向に差し支えない。
本発明は以上のような構造である。
本発明を使用するときは、ネット（１）を広げて敷き置く。落ち葉を収集するときは、掃き集めた落ち葉を無造作にネット（１）の上に積み置く。適当な量になったらネット（１）のひも引き出し口（４）から束ね持ち手ひも（３）を引っ張り出すと、たちまちにして落ち葉の詰まった収集容器に早変わりする。束ね持ち手ひも（３）の一つにはグリップベルト（５）がつい着ているので、そのグリップベルト（５）で他の束ね持ち手ひも（３）を一つに巻きまとめれば、手に持ちやすく、移動しやすくなる。大きなバケツのような容器とか袋などを使う必要もなく、後片付けも簡単でかさばらず、洗濯も簡単にできる。
【符号の説明】
【０００８】（１）ネット      （２）縁取り      （３）束ね持ち手ひも      （４）ひも引き出し口      （５）グリップベルト
【図１】
2014036826.tif 000003
【図２】
2014036826.tif 000004
【図３】
2014036826.tif 000005
(57)【要約】      （修正有）【課題】小型軽量で持ち運び可能なアルミ缶圧縮機を提供する。【解決手段】回転運動を直線運動に変換するねじの原理を用いたもので回転トルクを圧縮力に変換する。圧縮機本体１に設置固定されためねじ３にたいし回転可能な状態でおねじ２を設置し、圧縮機本体外部に突出したおねじをハンドルまたは回転力を発生させる工具等でおねじを回転させ、おねじの逆端部に設置した圧縮板７をねじの原理により直線運動に変換させる。【選択図】図１
2014036967.tif 000002
【特許請求の範囲】
【請求項１】
飲料用アルミ缶圧縮機において、おねじと圧縮機本体
に固定されためねじを有し、おねじを回転させることにより、おねじ端部の
圧縮板と圧縮機底板間でアルミ缶を挟み込み縦方向にアルミ缶を圧縮し、
回転運動を直線運動に変換する機構を有するアルミ缶圧縮機。
【請求項２】
前記圧縮機の圧縮板下面およびアルミ缶の底面を受ける
底板上面の円周上に１個から複数個の突起物を配置したアルミ缶圧縮機。
【請求項３】
おねじ下部端と圧縮板の結合を完全固定とせず、回転方向に自由な結合としたアルミ缶圧縮機。（図示せず）
【請求項４】
おねじ上端部の形状が多角形であるアルミ缶圧縮機。
【請求項５】
おねじの回転にともない圧縮機本体が、ともに回転しない
よう横長の底板を有するアルミ缶圧縮機。
【請求項６】
設置姿勢は天地、水平、傾斜を選ばないアルミ缶圧縮機。
【発明の詳細な説明】
【技術分野】
【０００１】
この発明は、アルミ缶の資源としての収集時の缶容積を減溶することに
関する。
【背景技術】
【０００２】
近年資源の再利用が進み各自治体によるアルミ缶の分別回収がおこなわれ
ている。飲料水やビールなどアルミ缶を使用したものが多いため、回収の
ための容器（箱やネットなど）を多く準備する必要があった。
一方アルミ缶圧縮機は、自宅、自治体の収集場など場所を選ばず、持ち運びが
便利でありかつ安全なものが必要とされていた。
【先行技術文献】
【特許文献】
【０００３】
【特許文献１】不明
【非特許文献】
【０００４】
【非特許文献１】なし
【発明の概要】
【発明が解決しようとする課題】
【０００５】
本案は自宅、自治体の収集場など場所を選ばず、持ち運びが便利で家庭や
収集場所での圧縮処理が可能なコンパクトなアルミ缶の圧縮、減溶ができる
ものである。
【課題を解決するための手段】
【０００６】
本方式では、ねじの原理を利用し回転を直線運動に変えることで、安全な
アルミ缶圧縮機を提供する。
【発明の効果】
【０００７】
本発明によれば、本体にアルミ缶を挿入し、その上方に設置された圧縮板を
押し下げるためのおねじが結合されており、さらにその上方に本体天井に
相当する天板にめねじを配置する。めねじより上方に突き出したおねじを
回転させることにより、ねじの原理により、おねじの回転方向を変えるだけで
圧縮板を上下に移動させることができる。
【０００８】
またおねじと圧縮板の結合方法を回転方向に固定しない方法（ベアリング
等）により圧縮板はおねじの回転を受けず直線移動する。圧縮板とアルミ缶
が擦られることがないため、圧縮板の磨耗を低減することができる。
【０００９】
またアルミ缶底面に接触する本体底板の上面およびアルミ缶の開口部
（飲み口）に接触する圧縮板下面に1個ないし複数の鋭利な突起物を
円周上に配置することにより、圧縮板回転下降時に上下各々の突起物が
アルミ缶の底面、開口部面にかみ込むことになり、アルミ缶にねじれを
加えつつ、下方に圧縮力を発生させ、より減溶化を図ることができる。
【００１０】
またアルミ缶の投入には天地を選ばない。
【図面の簡単な説明】
【００１１】
【図１】この発明の一実施形態を示す図である。
【００１２】
【図２】本体底部と圧縮板下部に配置した突起物の形態を示す。
【発明を実施するための形態】
【００１３】
この発明の一実施形態を、図１に示す。
【００１４】
アルミ缶圧縮器の本体内径はアルミ缶外形より１０％程度大きくしてあり
圧縮板により減溶されたアルミ缶が径方向に大きくなっても、処理後の取り
出しを容易にしている。圧縮板に結合されているおねじを回転させる駆動機器
として、ハンドルや電動モーター、電動ドライバー、電動インパクトレンチ
エアードライバー、エアーインパクトレンチ等が適当である。
【００１５】
アルミ圧縮機本体上部に突出したおねじの末端形状は、駆動機器との
スリップを防止するために、多角形がよい。
【００１６】
ねじの形状は三角ねじ、台形ねじ、角ねじ、ボールねじなどがよい。
【００１７】
「実施形態の効果」
この実施形態によれば、本体の投入口より投入されたアルミ缶が、本体
上部に突出したおねじを回転させることにより、圧縮板を押し下げアルミ缶
を圧縮、減溶する。
【符号の説明】
【００１８】
１：圧縮機本体  ２：おねじ  ３：めねじ  ４：おねじ末端  ５：底板（トルクプレート）  ６：投入口  ７：圧縮板  ８：突起物
【図１】
2014036967.tif 000003
【図２】
2014036967.tif 000004
(57)【要約】      （修正有）【課題】小型軽量で持ち運び可能なアルミ缶圧縮機を提供する。【解決手段】アルミ缶本体を案内する円筒形本体１に設置固定された打圧軸２を案内する穴部材３に圧縮板７に結合された打圧軸を挿入し、突出した軸端にハンマー等で衝撃荷重を与え、アルミ缶を圧縮、減容する。【選択図】図１
2014036968.tif 000002
【特許請求の範囲】
【請求項１】
飲料用アルミ缶圧縮機において、アルミ缶上部に配置した
圧縮板と結合された打圧用軸を案内するための圧縮機本体に固定された1個から複数個の穴を有し、突出した打圧軸にハンマー等の衝撃荷重を与えることで
圧縮板と圧縮機底板間でアルミ缶を挟み込み縦方向にアルミ缶を圧縮する機構を有するアルミ缶圧縮機。
【請求項２】
設置姿勢は天地、水平、傾斜を選ばないアルミ缶圧縮機。
【発明の詳細な説明】
【技術分野】
【０００１】
この発明は、アルミ缶の資源としての収集時の缶容積を減溶することに
関する。
【背景技術】
【０００２】
近年資源の再利用が進み各自治体によるアルミ缶の分別回収がおこなわれ
ている。飲料水やビールなどアルミ缶を使用したものが多いため、回収の
ための容器（箱やネットなど）を多く準備する必要があった。
一方アルミ缶圧縮機は、自宅、自治体の収集場など場所を選ばず、持ち運びが
便利でありかつ安全なものが必要とされていた。
【先行技術文献】
【特許文献】
【０００３】
【特許文献１】不明
【非特許文献】
【０００４】
【非特許文献１】なし
【発明の概要】
【発明が解決しようとする課題】
【０００５】
本案は自宅、自治体の収集場など場所を選ばず、持ち運びが便利で家庭や
収集場所での圧縮処理が可能なコンパクトなアルミ缶の圧縮、減溶ができる
ものである。
【課題を解決するための手段】
【０００６】
本方式では、筒状の容器の中にアルミ缶を挿入し、その上部からアルミ缶
天面全体に均等でかつ衝撃荷重を加えることで、安全で減容可能なアルミ缶
圧縮機を提供する。
【発明の効果】
【０００７】
本発明によれば、本体にアルミ缶を挿入し、その上方に設置された圧縮板を
押し下げるための打圧軸が結合されており、さらにその上方に本体天井に
１個から複数個の軸を案内する穴を配置する。穴は軸よりわずかに大きく
しておき、衝撃荷重による軸の急速な移動により穴との干渉等により
かじり、焼き付きが無いよう考慮してある。
上部に突出した打圧軸端をハンマー等で衝撃荷重を与えることで、圧縮板を
押し下げアルミ缶を圧縮、減溶する。
【０００８】
またアルミ缶の投入には天地を選ばない。
【図面の簡単な説明】
【０００９】
【図１】この発明の一実施形態を示す図である。
【発明を実施するための形態】
【００１０】
この発明の一実施形態を、図１に示す。
【００１１】
アルミ缶圧縮器の本体内径はアルミ缶外形より１０％程度大きくしてあり
圧縮板により減溶されたアルミ缶が径方向に大きくなっても、処理後の取り
出しを容易にしている。
【００１２】
「実施形態の効果」
この実施形態によれば、本体の投入口より投入されたアルミ缶が、本体
上部に突出した軸端をハンマー等で打ち下ろすことで、圧縮板を押し下げ
アルミ缶を圧縮、減溶する。
【符号の説明】
【００１３】
１：圧縮機本体  ２：軸  ３：軸ガイド穴  ４：軸末端  ５：底板
６：投入口  ７：圧縮板  
【図１】
2014036968.tif 000003
(57)【要約】【課題】チューブ等により塗料を連続して補給する方法では塗料の補給のための塗料を圧送するための専用の装置が必要であり装置が複雑になること等の課題があった。また塗装用ローラ内に塗料を注入し浸透してでてきた塗料により塗装を行う塗装用ローラは耐久性に問題があり、長時間の作業には向いておらず、また清掃が大変であり繰り返し複数回の使用には問題があった。【解決手段】塗料容器、塗装刷毛や塗装用ローラに塗料を付着させるための塗料が浸出する開口孔を有する部材、塗装刷毛の柄や塗装用ローラのアームに固定するための部材からなり重力により塗料を塗装刷毛や塗装用ローラの外側から連続して補給する塗料補給具により連続した塗装を可能とし、塗装刷毛や塗装用ローラを交換して使用することにより清掃等の稼動を軽減する。【選択図】図２
2014036914.tif 000002
【特許請求の範囲】
【請求項１】
塗料容器、塗装用ローラや塗装刷毛に塗料を付着させるための塗料が浸出する開口孔を有する部材、塗装用ローラのアームや塗装刷毛の柄に固定するための部材からなり重力により塗料を連続して補給する塗料補給具
【請求項２】
請求項１の構成に塗料流用調整弁を付加した塗料補給具
【発明の詳細な説明】
【技術分野】
【０００１】
本発明は内外壁面の塗装作業中、作業者が塗装刷毛又は塗装用ローラーをその都度塗料罐内へ入れて塗料を含ませることなしに作業を可能とした塗装刷毛及び塗装用ローラーへの塗料補給装置である。
【背景技術】
【０００２】
塗装刷毛又は塗装用ローラーによる塗装においてはその都度、塗料罐内へ刷毛又はローラーを入れて適宜量の塗料を含ませて塗装作業を行う必要がありその手間は大変なものであることからチューブ等により外部から塗料の補給を連続して行う工夫がされ製品化もされているところである。また塗装用ローラ内に塗料を注入し浸透してでてきた塗料により塗装を行う塗装用ローラも存在するところである。
【先行技術文献】
【非特許文献】
【０００３】
【非特許文献１】特許公開平５−３０９３１３
【発明の概要】
【発明が解決しようとする課題】
【０００４】
外部からチューブ等により塗料を連続して補給する方法では塗料の補給のための塗料を圧送するための専用の装置が必要であり装置が複雑になること、重量が重くなること、コストがかかること、塗装作業後の清掃にも手間がかかる等の課題があった。また塗装用ローラ内に塗料を注入し浸透してでてきた塗料により塗装を行う塗装用ローラは構造は簡単で、軽くできるというメリットはあるものの耐久性に問題があり、長時間の作業には向いておらず、また清掃が大変であり繰り返し複数回の使用には問題があった。
【課題を解決するための手段】
【０００５】
塗装刷毛の柄又は塗装用ローラーを装着した塗装ローラー用アームに塗料容器を有する塗料補給具を固定し、重力により流れ落ちる塗料を外側から連続して補給することにより連続した塗装を可能とすることをもっとも主要な特徴とする。
【発明の効果】
【０００６】
塗料の補給に重力を利用していることにより塗料補給具を簡素な構成にでき軽い重量とすることが可能であり塗装作業の際の負担を軽減できる。周知の塗装刷毛及び塗装用ローラーを交換して利用することから清掃の手間を削減でき、繰り返し利用することが可能である。
本発明は塗料の連続補給ができることから塗装作業中、従来の作業者のように塗装刷毛や塗装用ローラーを塗料罐内で浸しては塗料を含ませてからそれを塗装面へあてるという動作の繰り返しが不要となる。特に長めの柄で高めの壁面を塗装する場合において顕著な能率効果を得る。
【図面の簡単な説明】
【０００７】
【図１】図１は塗装用ローラーのアームに装着する塗料補給具の斜視図である。１は塗料容器、２は塗装用ローラに塗料を付着させるための塗料が浸出する開口孔を有する部材、３は塗装用ローラに固定するための部材である。
【図２】図２は塗装用ローラーのアームに本塗料補給具を装着した状態の斜視図である。１、２、３は図１と同様である。４は周知の交換用ローラ、５は周知のローラー用のグリップ、６は周知のローラー用のアームである。（実施例１）
【図３】図３は塗装刷毛の柄に装着する塗料補給具の拡大斜視図である。１は塗料容器、７は塗装刷毛に塗料を付着させるための塗料が浸出する開口孔を有する部材、８は塗装刷毛の柄に固定するための部材。
【図４】図４は塗装刷毛の柄に本塗料補給具を装着した状態の斜視図である。１、７、８は図３と同様である。９は周知の塗装刷毛である。（実施例２）
【図５】図５は図１の１、２の断面図である。１、２は図１と同様である。１０は塗料の流料を調整する弁をつけた場合の流料調整弁である。
【図６】図６は塗装容器を密閉型とした場合の断面図である。２は図１と同様である。１０は図５と同様である。１１は密閉型の塗装容器、１２は密閉型の塗装容器に空気を送るための管である。１３は塗料容器をネジ方式で受けるキャップ型の受け具である。
【図７】図７の１４、１５はは図１の２の底面図で開口孔の形状が異なる２種類である。１６は複数あけた円形の開口孔の一つである。１７はスリット状の開口孔の一つである。
【図８】図８は高めの壁面の塗装作業例である。１、２、３、４、５、６は図１と同様である。１９は延長用の棒である。
【発明を実施するための形態】
【０００８】
塗装刷毛や塗装用ローラーに塗料を連続して供給するという目的を、塗装刷毛の柄や塗装用ローラーのアームに装着し一体となった塗料補給具の塗料容器から重力により塗料を供給することにより最小の部品点数で実現した。
【実施例】
【０００９】
図２に示すように塗装用ローラーのアームに本塗料補給具を装着し容器に塗料を満たし重力により２に流れた塗料が開口孔よりローラに流れ、ローラに付着した塗料は塗装面でのローラの回転により均一に付着することにより連続した塗装が可能となる。
【００１０】
図４に示すように塗装刷毛の柄に本塗料補給具を装着し容器に塗料を満たし重力により７に流れた塗料が開口孔より刷毛に流れ、連続した塗装が可能となる。
【００１１】
図５、図６の１０のように塗料の流量調整弁を付け流れ出る塗料の量を調整する機能を付加する。
【００１２】
図７に示すように２の開口孔の形状を変更することにより塗料の粘度の特性に応じた形状を使用する。
【産業上の利用可能性】
【００１３】
周知の塗装刷毛、周知の塗装ローラーを使用し最小の部品点数で構成されることから生産コストを押さえることが可能である。連続した塗料の補給が可能であることから足場等の設置にかかる費用を削減することが可能であり塗装費用全体のコスト削減が可能である。
【図１】
2014036914.tif 000003
【図２】
2014036914.tif 000004
【図３】
2014036914.tif 000005
【図４】
2014036914.tif 000006
【図５】
2014036914.tif 000007
【図６】
2014036914.tif 000008
【図７】
2014036914.tif 000009
【図８】
2014036914.tif 000010
(57)【要約】【課題】  ドライバーは、各種工事・保守点検などでプラス・マイナス・六角ネジ又はビスの取付取外しに使用するものだが、作業面のネジ又はビスが暗い場所に位置することがあり、照明器具や懐中電灯を準備して作業することはあるが、光の届きにくい所、ドライバーを持つ手や機械器具などで影ができて、ネジ又はビスの位置を目で確認しにくく、手探りなどで作業することがある。  本発明は、ドライバーで作業する場合、暗がりにあるネジ又はビスを容易に目で確認し、作業できるライト付ドライバーを提供する。【解決の手段】  通常のドライバーにおいて、ドライバーの柄の内部に、電池・基板・ＬＥＤランプ・光誘導材を設置し、更にそれらの脇に、配線の一部も兼ねて補強兼配線部を設け、柄の手前端面にスライドスイッチ式等のスイッチを露出させて配設するのだが、スイッチの天井が柄の端面縁よりも低くなるように設け、ドライバーの先端をピンポイントで照らすことを特徴とするライト付ドライバー。【選択図】図１
2014093291.tif 000002
【特許請求の範囲】
【請求項１】
通常のドライバーにおいて、ドライバーの柄の内部に、電池・基板・ＬＥＤランプ・光誘導材を設置し、更にそれらの脇に、配線の一部も兼ねて補強兼配線部を設け、柄の手前端面にスライドスイッチ式等のスイッチを露出させて配設するのだが、スイッチの天井が柄の端面縁よりも低くなるように設けたことを特徴とするライト付ドライバー。
【発明の詳細な説明】
【技術分野】
【０００１】  本発明は、各種工事・保守点検などで使用できるライト付ドライバーに関するものである。
【背景技術】
【０００２】  従来、ドライバーは、各種工事・保守点検などでプラス・マイナス・六角ネジ又はビスの取付取外しに使用するものだが、作業面のネジ又はビスが暗い場所に位置することが少なくない。
そこで、照明器具や懐中電灯を準備して作業することが一般的だが、ドライバーの軸に外付けで着脱式の照明器具を取り付けた先行技術も知られている。
（特許文献１参照）。
【先行技術文献】
【特許文献】
【０００３】
【特許文献１】  登録実用新案第３１７４４９０号公報
【発明の概要】
【発明が解決しようとする課題】
【０００４】  ドライバーは、各種工事・保守点検などでプラス・マイナス・六角ネジ又はビスの取付取外しに使用するものだが、作業面のネジ又はビスが暗い場所に位置することがあり、照明器具や懐中電灯を準備して作業することはあるが、光の届きにくい所、ドライバーを持つ手や機械器具などで影ができて、ネジ又はビスの位置を目で確認しにくく、手探りなどで作業することがある。
又  特許文献１の、ドライバーの軸に外付けで照明器具を取り付ける工具は、暗い場所にネジ又はビスがあった場合に、照明器具をつけてからの作業になったり、機械器具等のすぐ横や狭い位置にネジ又はビスがある場合は、軸に取り付けた照明器具が機械器具等に接触したりして、作業しにくいことが、考えられる。
本発明は、以上の問題点を解決するためになされたものである。
【課題を解決するための手段】
【０００５】  通常のドライバーにおいて、ドライバーの柄の内部に、電池・基板・ＬＥＤランプ・光誘導材を設置し、更にそれらの脇に、配線の一部も兼ねて補強兼配線部を設け、柄の手前端面にスライドスイッチ式等のスイッチを露出させて配設するのだが、スイッチの天井が柄の端面縁よりも低くなるように設ける。
以上を特徴とするライト付ドライバーである。
【発明の効果】
【０００６】  ドライバーの柄の内部から、ＬＥＤランプの光が先端をピンポイントで照らすので、手や機具の影も出来ず、ネジ又はビスの溝がはっきり見えて、作業能率が確実に上がる。
【図面の簡単な説明】
【０００７】
【図１】  本発明の斜視図
【図２】  本発明のスイッチ部分の構造を示した部分断面拡大図
【発明を実施するための形態】
【０００８】以下、本発明の実施の形態を説明する。
ドライバーの柄（１）の内部に  スライド式スイッチ（２）
補強兼配線部（３）電池（４）基板・反射板（５）
ＬＥＤランプ（６）光誘導材（７）を設ける。
本発明は以上のような構造である。
本発明を使用するときは、ドライバーの柄（１）の後部にあるスライド式スイッチ（２）をＯＮにすると、ＬＥＤランプ（６）が点灯しＬＥＤランプの光が、光誘導材（７）を通過して、ドライバーの先端をピンポイントで照らし、ネジ又はビスの溝がはっきりみえて、作業することができる。
【符号の説明】
【０００９】１  ドライバーの柄、２  スライド式スイッチ、
３  補強兼配線部、４  電池、５  基板・反射板、
６  ＬＥＤランプ、７  光誘導材
【図１】
2014093291.tif 000003
【図２】
2014093291.tif 000004